(57)【要約】      （修正有）【課題】意匠性が高くて、個人情報が記憶されずに、個人情報管理の安全性が高い印刷媒体を提供する。【解決手段】絵図が印刷された印刷媒体であって、前記絵図は、携帯端末装置によって撮影が可能であって、印刷媒体に印刷された絵図の画像特徴量と個人情報を関連付けてサーバ装置に格納されていて、印刷媒体の絵図から画像特徴量を求めて、サーバ装置に送信することにより画像特徴量に関連付けられた個人情報を求めることができる印刷媒体である。【選択図】図１
0003129730.tif 000002
【実用新案登録請求の範囲】
【請求項１】
携帯端末装置と、情報提供サーバ装置と、がネットワーク接続された自己紹介情報提供システムであって、
前記携帯端末装置は、
絵図を撮影して、前記絵図から、画像特徴量データを作成して、これを、情報提供サーバ装置に送信して、返信された自己紹介データを受信する、
端末装置であって、
前記情報提供サーバ装置は、
照合データと自己紹介データを対応づけた対応データを記憶して、携帯端末装置から画像特徴量データを受信して、対応データの照合データを参照して、前記画像特徴量データとの類似度が高い照合データに対応する自己紹介データを選択して、返信するサーバ装置である、
ことを特徴とする自己紹介情報提供システム。
【請求項２】
請求項１に記載の自己紹介情報提供システムに使用する印刷媒体であって、
印刷媒体には、絵図が印刷されて、
前記絵図は、携帯端末装置によって撮影が可能であって、
絵図の画像特徴量情報が個人情報を含む詳細情報と関連付けられていること、
を特徴とする印刷媒体。
【考案の詳細な説明】
【技術分野】
【０００１】
本考案は、携帯端末装置によって自己紹介カードの絵図（たとえば、イラストレーション）を撮影することで、本人情報を提供することが可能な印刷媒体に関するものである。
【背景技術】
【０００２】
印刷媒体の印刷情報を撮影して、その画像認識の結果を用いて、情報の提供を受けることが行われている。
【０００３】
たとえば、特許文献１には、生体認証情報を含む本人情報が符号化された二次元コードと、生体認証情報を含む本人情報が記憶されたＩＣチップ（または、ＲＦＩＤタグ）と、を備えたカードを用いて、この二次元コードから復号した情報と、ＩＣチップの情報とを照合して、本人認証する技術が開示されている。（従来技術１）
【特許文献１】特開２００５−３４６４４７号公報（８〜９ページ、１３〜１４ページ、図２〜３、図１０）
【考案の開示】
【考案が解決しようとする課題】
【０００４】
ところが、従来技術１においては、二次元コードがカードの表面に印刷されているので、意匠性を損なっていた。また、本人情報（＝個人情報）がカードに記憶されているので、個人情報が漏洩する危険性があった。
【０００５】
解決しようとする問題点は、印刷媒体の意匠性が損なわれている点と、個人情報漏洩の危険性が極めて高い点である。
【課題を解決するための手段】
【０００６】
本考案は、印刷媒体の意匠性が高いことと、印刷媒体に個人情報が記憶されずに、個人情報管理の安全性が高いこと、を最も主要な特徴とする。
【考案の効果】
【０００７】
本考案の絵図が印刷された印刷媒体は、意匠性に優れている利点と、また、印刷媒体に個人情報が記憶されていない利点と、がある。
【考案を実施するための最良の形態】
【０００８】
印刷媒体の意匠性を高めるという目的と、個人情報管理の安全性を高めるという目的を達成すべく、印刷媒体に印刷された絵図の画像特徴量と個人情報を関連付けてサーバ装置に格納しておき、印刷媒体の絵図から画像特徴量を求めて、サーバ装置に送信することにより画像特徴量に関連付けられた個人情報を求めることができる。
【実施例１】
【０００９】
図１は、本考案の絵図印刷媒体１００の例である。
図１には、絵図１００ａと、本人符号情報１００ｂと、が、印刷されている印刷媒体１００（たとえば、絵図が印刷された絵図カード）が、例示されている。
【００１０】
なお、絵図カード１００は、同じ構図で、異なる彩色の絵図カードから、構成される。
【００１１】
図２は、絵図カードを利用した自己紹介情報提供システム１の全体構成図である。
システム１は、印刷媒体１００と、ネットワーク接続された携帯端末装置３００（たとえば、カメラ付携帯電話）と情報提供サーバ装置５００と、から構成されている。
【００１２】
印刷媒体１００は、絵図１００ａを備える。携帯端末装置３００は、画像特徴量データ３９１を保持する。情報提供サーバ装置５００は、対応データ５９１を記憶する。
【００１３】
対応データ５９１は、自己紹介デ５９１ｂを含むデータである。
【００１４】
図３は、携帯端末装置３００の画面３００ａの例である。図３には、絵図カードを撮影した絵図１００ａが表示された画面３００ａが、例示されている。
【００１５】
図４は、画像特徴量データ３９１の形式と例を示している。
対応データ５９１は、色情報（Ｒ、Ｇ、Ｂの％情報）である。
【００１６】
図４には、一番単純な画像特徴量として、印刷媒体に施された絵図を撮影して画像を作成し画像の色の平均値を画像特徴量とした場合を、例示している。
画像特徴量データ３９１の「Ｒ＝３１％、Ｇ＝５６％、Ｂ＝１８％」は、印刷媒体の絵図の色情報の平均値を示している。
【００１７】
なお、画像特徴量データ３９１は、画像データの中の絵柄から形状情報を抽出して用いてもよい。
更に、絵柄の形状情報と色情報を組み合わせて用いてもよい。
【００１８】
図５は、情報提供サーバ装置に保存されている対応データ５９１の形式と例である。
照合データ５９１aは、画像特徴量として色情報を入力している。例では照合データは、印刷媒体を撮影して作成した画像の色の平均値である。自己紹介データ５９１ｂは、絵図付き印刷媒体の持ち主の紹介文が文字列として入力されている。
【００１９】
図５には、対応データ５９１が、例示されている。
照合データ５９１ａが、「Ｒ＝３１％、Ｇ＝５６％、Ｂ＝１８％」であって、自己紹介データ５９１ｂが、「〔名前〕佐藤  太郎  〔所属〕JSAI  〔近況〕研究以外は、糠漬けとお酒に、明け暮れる日々です。現在、最も興味があることは、・・・」である。
【００２０】
図６は、絵図を利用した自己紹介情報提供システム１の大まかな処理の流れである。
【００２１】
携帯電話３００は、印刷媒体１００の絵図を撮影する（図６（１)）。
【００２２】
携帯電話３００は、撮影された絵図を用いて、画像特徴量データ３９１を作成する（同（２）)。
携帯電話３００は、画像特徴量データ３９１を、情報提供サーバ装置５００に、送信する（同（３）)。なお、情報提供サーバ装置５００に撮影した画像を送信して、情報提供サーバ５００上で画像特徴量を抽出してもよい。
【００２３】
情報提供サーバ装置５００は、携帯電話３００から、画像特徴量データ３９１を受信して、対応データ５９１の照合データ５９１ａを参照して、前記画像特徴量データ５９１ａとの類似度が高い照合データに対応する自己紹介データ５９１ｂを選択する（同（４）)。
【００２４】
情報提供サーバ装置５００は、選択された自己紹介データ５９１ｂを、携帯電話３００に、送信する（同（５）)。携帯電話３００は、情報提供サーバ装置５００から、自己紹介データ５９１ｂを受信して、表示する（同（６）)。
【００２５】
このような絵図印刷媒体を採用したので、個人情報に関連付けた絵図を印刷媒体に施すことによって意匠性を向上することができる。
また、印刷媒体には個人情報が記録されていないので、個人情報の管理の点からも安全性が向上する。
【産業上の利用可能性】
【００２６】
本考案の絵図印刷媒体は、絵図を撮影することで、絵図に関連付けた詳細な情報を取得する用途にも、適用できる。
【図面の簡単な説明】
【００２７】
【図１】絵図カード１００
【図２】絵図カード１００を利用した自己紹介情報提供システム１の全体構成図
【図３】撮影した絵図１００ａが表示された携帯端末装置３００の画面３００ａの例
【図４】画像特徴量データ３９１の形式と例
【図５】対応データ５９１の形式と例
【図６】絵図カード１００を利用した自己紹介情報提供システム１の大まかな処理の流れ
【符号の説明】
【００２８】
１    絵図カードを利用した自己紹介情報提供システム
１００    絵図印刷媒体、絵図カード
１００ａ    絵図
１００ｂ    本人符号情報
３００    携帯端末装置
３９１    画像特徴量データ
５００    情報提供サーバ装置
５９１    対応データ
５９１ａ  照合データ
５９１ｂ  自己紹介データ
【図１】
0003129730.tif 000003
【図２】
0003129730.tif 000004
【図３】
0003129730.tif 000005
【図４】
0003129730.tif 000006
【図５】
0003129730.tif 000007
【図６】
0003129730.tif 000008
【手続補正書】
【提出日】平成18年12月8日(2006.12.8)
【手続補正１】
【補正対象書類名】実用新案登録請求の範囲
【補正対象項目名】全文
【補正方法】変更
【補正の内容】
【実用新案登録請求の範囲】
【請求項１】
携帯端末装置と、情報提供サーバ装置と、がネットワーク接続された自己紹介情報提供システムであって、前記携帯端末装置は、絵図を撮影して、前記絵図から、画像特徴量データを作成して、これを、情報提供サーバ装置に送信して、返信された自己紹介データを受信する、端末装置であって、前記情報提供サーバ装置は、照合データと自己紹介データを対応づけた対応データを記憶して、携帯端末装置から画像特徴量データを受信して、対応データの照合データを参照して、前記画像特徴量データとの類似度が高い照合データに対応する自己紹介データを選択して、返信するサーバ装置である、ことを特徴とする自己紹介情報提供システム。